(57)【要約】【課題】屋外に通じる開口部を有する部屋を備えた建築物の該開口部に連設して簡単に設置でき、該建築物開口部に通じるので使い勝手がよく、用済みの場合においては、コンパクトに縮めておくことができ、再び用いるときには、簡単に小屋に復元して使用でき、様々の用途のある伸縮式小屋を提供する。【解決手段】家屋開口部９２を形成している該開口部周囲の家屋壁体９３に沿って設置される内側枠部材１と、これに対向する外側正面部材２と、部材１、２間に配置され、部材２の部材１に対する接近離反に伴い収縮、伸張可能の天井部材３及び床用部材４と、天井部材３及び床用部材４が畳まれるとき、内側枠部材１の方へ畳み収納可能であるとともに天井部材３及び床用部材４が伸張されると、外側正面部材２の方へ伸張可能である左右の側部材５とを備えている伸縮式小屋Ａ。【選択図】  図２
2004232316.tif 000002
【特許請求の範囲】
【請求項１】
屋外に通じる開口部を有する部屋を備えた建築物の該開口部に連設して使用する伸縮式小屋であり、
該開口部を形成している開口部周囲構造物に沿って設置される内側枠部材と、
前記内側枠部材に対向する外側正面部材と、
前記内側枠部材及び外側正面部材間に配置され、内側端部が該内側枠部材の上端部に、外側端部が該外側正面部材の上端部にそれぞれ連結されるとともに該外側正面部材を該内側枠部材へ接近させるにともなって畳まれて収縮し、該外側正面部材を該内側枠部材から離反させるにともなって伸張する天井部材と、
前記内側枠部材及び外側正面部材間に配置され、内側端部が該内側枠部材の下端部に、外側端部が該外側正面部材の下端部にそれぞれ連結されるとともに該外側正面部材を該内側枠部材へ接近させるにともなって畳まれて収縮し、該外側正面部材を該内側枠部材から離反させるにともなって伸張する床用部材と、
前記内側枠部材の左右側部のそれぞれに連結され、前記外側正面部材の前記内側枠部材への接近により前記天井部材及び床用部材が畳まれるとき、該内側枠部材の方へ畳み収納可能であるとともに前記外側正面部材の前記内側枠部材からの離反により前記天井部材及び床用部材が伸張されると、該外側正面部材の方へ伸張可能である左右の側部材と、
を備えていることを特徴とする伸縮式小屋。
【請求項２】
前記床用部材は床板載置用の部材であって複数本設けられており、該床用部材が伸張状態で該床用部材上に床板を取り外し可能に載置できる請求項１記載の伸縮式小屋。
【請求項３】
前記床用部材は床板を含んでおり、伸張状態において床として使用できる請求項１記載の伸縮式小屋。
【請求項４】
前記側部材は前記外側正面部材の前記内側枠部材からの離反により前記天井部材及び床用部材が伸張すると、伸張した該天井部材より下方且つ伸張した該床用部材より上方の空間へ、且つ、前記外側正面部材の方へ伸張可能である請求項１、２又は３記載の伸縮式小屋。
【請求項５】
前記天井部材は、内側端部が前記内側枠部材の上端部に、外側端部が前記外側正面部材の上端部にそれぞれ回動可能に連結されるとともに該外側正面部材を該内側枠部材へ接近させるにともなって該内側枠部材と外側正面部材との間に折り畳み収納され、該外側正面部材を該内側枠部材から離反させるにともなって伸張する請求項１から４のいずれかに記載の伸縮式小屋。
【請求項６】
前記床用部材は、内側端部が前記内側枠部材の下端部に、外側端部が前記外側正面部材の下端部にそれぞれ回動可能に連結されるとともに該外側正面部材を該内側枠部材へ接近させるにともなって該内側枠部材と外側正面部材との間に折り畳み収納され、該外側正面部材を該内側枠部材から離反させるにともなって伸張する請求項１から５のいずれかに記載の伸縮式小屋。
【請求項７】
前記側部材は、前記外側正面部材の前記内側枠部材への接近により前記天井部材及び床用部材が畳まれるとき、該天井部材及び床用部材より前記内側枠部材の方へ折り畳み収納可能である請求項１から６のいずれかに記載の伸縮式小屋。
【請求項８】
前記外側正面部材は開閉可能の扉を有している請求項１から７のいずれかに記載の伸縮式小屋。
【請求項９】
前記外側正面部材は該外側正面部材を前記内側枠部材に対し接近離反させるためのレールに沿って移動可能の案内部材を備えている請求項１から８のいずれかに記載の伸縮式小屋。
【請求項１０】
前記外側正面部材、天井部材及び側部材のうち少なくとも一つが採光可能に形成されており、サンルームとして使用できる請求項１から９のいずれかに記載の伸縮式小屋。
【発明の詳細な説明】
【０００１】
【発明の属する技術分野】
本発明は屋外に通じる開口部を有する部屋を備えた建築物の該開口部に連設して使用する小屋、特に使用しないとき等には縮めておける伸縮式小屋に関する。
【０００２】
【従来の技術】
従来、子供の勉強部屋や作業所を増築するため、動物の飼育や植物の育成のためなどのためにプレハブ式、組立式等の簡易な小屋が種々提案されてきた。これらの小屋はいずれも日常使用する居住用家屋、作業用家屋等の建築物に隣り合わせて設置されたり、或いはその近くに設置されたり、そのような建築物が建てられている敷地内の余裕のある場所に設置されたりしてきた。
【０００３】
【発明が解決しようとする課題】
しかしながら、かかる従来の小屋はそれ自体小屋として独立した構造物であるため、既に建てられている家屋等の建築物との間で人及び（又は）物の行き来を容易にするなど、使い勝手をよくするために既設建物に連続するように設置しようとしても、それは不可能か、できるとしても既設建物の一部を大幅に改造したり、小屋の一部を改造するなどしなければならなかった。
【０００４】
また、一旦設置したあと用済みとなったときには、その分解、撤去に多大の費用を要し、分解撤去後に再び小屋が必要となったときには、一から設置しなければならなかった。
【０００５】
そこで本発明は、屋外に通じる開口部を有する部屋を備えた建築物の該開口部に連設して簡単に設置でき、該建築物開口部に通じるので使い勝手がよく、用済みの場合においては、コンパクトに縮めておくことができ、再び用いるときには、簡単に小屋に復元して使用でき、様々の用途のある伸縮式小屋を提供することを課題とする。
【０００６】
【課題を解決するための手段】
前記課題を解決するため本発明は次の伸縮式小屋を提供する。すなわち、
屋外に通じる開口部を有する部屋を備えた建築物の該開口部に連設して使用する伸縮式小屋であり、
該開口部を形成している開口部周囲構造物に沿って設置される内側枠部材と、
前記内側枠部材に対向する外側正面部材と、
前記内側枠部材及び外側正面部材間に配置され、内側端部が該内側枠部材の上端部に、外側端部が該外側正面部材の上端部にそれぞれ連結されるとともに該外側正面部材を該内側枠部材へ接近させるにともなって畳まれて収縮し、該外側正面部材を該内側枠部材から離反させるにともなって伸張する天井部材と、
前記内側枠部材及び外側正面部材間に配置され、内側端部が該内側枠部材の下端部に、外側端部が該外側正面部材の下端部にそれぞれ連結されるとともに該外側正面部材を該内側枠部材へ接近させるにともなって畳まれて収縮し、該外側正面部材を該内側枠部材から離反させるにともなって伸張する床用部材と、
前記内側枠部材の左右側部のそれぞれに連結され、前記外側正面部材の前記内側枠部材への接近により前記天井部材及び床用部材が畳まれるとき、該内側枠部材の方へ畳み収納可能であるとともに前記外側正面部材の前記内側枠部材からの離反により前記天井部材及び床用部材が伸張されると、該外側正面部材の方へ伸張可能である左右の側部材と、
を備えている伸縮式小屋である。
【０００７】
この伸縮式小屋は、例えば、次のようにして簡単に設置することができる。
先ず、屋外に通じる開口部を有する部屋を備えた建築物の該開口部を形成している開口部周囲構造物に沿って内側枠部材を動かないように設置する。内側枠部材の設置は、該建築物開口部に内側枠部材の開口部が連通するように内側枠部材を配置して建築物開口部の周囲構造物にボルト等の適当な固定手段で固定したり、屋外地盤等にコンクリート等の適当な固定手段を用いて固定する等して行える。
【０００８】
このようにして建築物開口部の周囲構造物に沿って設置した内側枠部材に適当な順序で、天井部材、床用部材、側部材及び外側正面部材を連結することで簡単に組み立て設置することができる。
【０００９】
支障のない範囲で、内側枠部材を建築物開口部の周囲構造物に沿って設置する前に予め他の適当な部材を該内側枠部材に連結しておくなど、部材同士の連結は支障のない範囲で適当な順序で行うことができる。
【００１０】
本発明に係る伸縮式小屋は、外側正面部材を内側枠部材から離反するように外方へ移動させることで、天井部材及び床用部材を伸張させることができ、さらに、各側部材を外側正面部材の方へ伸張させることで目的とする小屋を得ることができる。
【００１１】
このように伸張された小屋はその内側枠部材の開口部と前記建築物の開口部とにより建築物内の部屋と連通し、人及び（又は）物の行き来が可能になり、それだけ使い勝手がよい。
【００１２】
用済みの場合においては、各側部材を畳んで内側枠部材側へ収納するとともに外側正面部材を内側枠部材の方へ接近移動させるとともに天井部材及び床用部材を畳んで全体をコンパクトに収縮させることができ、分解、撤去しなくてもさほど邪魔にならない状態にできる。再び使用しようとするときには、小屋を前記のように伸張させることで簡単に所望の小屋に復元して使用できる。
【００１３】
本発明に係る伸縮式小屋は、採光可能に構成することでサンルームとして使用したり、また、動物の飼育部屋、植物の育成部屋、各種作業所など、様々に用いることができる。サンルームとして使用するならば、前記外側正面部材、天井部材及び側部材はそれぞれ採光可能に形成されていることが望ましい。
【００１４】
前記床用部材は床板を含み、伸張状態においてそのまま床として使用できるものであってもよく、床板を含まないものでもよい。また、床板載置用の部材であってもよい。その場合には複数本設け、該床用部材が伸張状態で該床用部材上に床板を取り外し可能に載置できるようにすればよい。
【００１５】
前記天井部材としては、例えば、内側端部が前記内側枠部材の上端部に、外側端部が前記外側正面部材の上端部にそれぞれ回動可能に連結されるとともに該外側正面部材を該内側枠部材へ接近させるにともなって該内側枠部材と外側正面部材との間に折り畳み収納され、該外側正面部材を該内側枠部材から離反させるにともなって伸張するものを挙げることができる。
【００１６】
前記床用部材についても、内側端部が前記内側枠部材の下端部に、外側端部が前記外側正面部材の下端部にそれぞれ回動可能に連結されるとともに該外側正面部材を該内側枠部材へ接近させるにともなって該内側枠部材と外側正面部材との間に折り畳み収納され、該外側正面部材を該内側枠部材から離反させるにともなって伸張するものを例示できる。
【００１７】
前記側部材としては、前記天井部材及び床用部材の畳み収納に差し支えなければ、側部材の外側端部が外側正面部材に連結されていてもよいが、前記外側正面部材の前記内側枠部材への接近により前記天井部材及び床用部材が畳まれるとき、該天井部材及び床用部材より前記内側枠部材の方へ折り畳み収納可能であるものを例示できる。
【００１８】
また、いずれにしても、前記側部材として、前記外側正面部材の前記内側枠部材からの離反により前記天井部材及び床用部材が伸張すると、伸張した該天井部材より下方且つ伸張した該床用部材より上方の空間へ、且つ、前記外側正面部材の方へ伸張可能であるものを例示できる。
【００１９】
前記外側正面部材は開閉可能の扉を有していてもよい。
また、前記外側正面部材は該外側正面部材を前記内側枠部材に対し接近離反させるためのレールに沿って移動可能の案内部材を備えていてもよい。
【００２０】
かかる案内部材としては、回転輪を有するもの（例えば方向自在性のキャスター）でもよいし、レールに沿って摺動するものでもよい。レールは案内部材が単に載置されるだけの平坦面を有するものでもよいし、案内部材と係合し合うものでもよい。案内部材が単に載置されるだけの平坦面の場合には、伸縮式小屋の下方に設けられたコンクリート、レンガ等からなる平坦面の一部をかかるレールとして使用できる。
【００２１】
【発明の実施の形態】
以下本発明の実施の形態を図面を参照して説明する。
図１から図７は本発明に係る伸縮式小屋の１例を示している。図１はその正面図を、図２は伸張状態における右側面図を、図３は伸張状態における平面図を、図４は伸張状態における、天井部材を取り去った平面図を、図５は図４のＸ−Ｘ線に沿って床用部材を切断した状態と該床用部材周囲の幾つかの部材を、図６は収縮収納状態における側面図を、図７は収縮収納状態における平面図を示している。
【００２２】
これら図に示される伸縮式小屋Ａは、内側枠部材１と、これに対向する外側正面部材２と、両部材１、２に連結された天井部材３と、両部材１、２に連結された左右一対の床用部材４と、左右一対の側部材５とを備えている。この伸縮式小屋Ａは、家屋９の部屋９１の矩形開口部９２に連設されている。
【００２３】
内側枠部材１は、図２、図３等に示すように、家屋９の引き違い戸９２１を備えた開口部９２より十分大きい矩形開口部１１を有し、全体として矩形を呈している。枠部材１はこれを家屋開口部９２を形成している開口部周囲構造物（ここでは家屋壁体）９３に固定するためのフランジ部１２を有している。枠部材１は、ここでは、このフランジ部１２が図示を省略したボルト等の適当な固定手段を用いて家屋壁体９３に固定されることで、全体が該壁体に強固に固定されている。
【００２４】
外側正面部材２は、図１、図２等に示すように、内側枠部材１の開口部１１と略同じ大きさの開口部２１１を有する枠部材２１と、これに装着された左右の透明ガラス板２２、該左右ガラス板の間に配置された左右の開閉可能扉２３及び該扉を開閉するための上下のレール部材２４、２５等を備えている。各扉２３にも透明ガラス板２３１をはめ込んである。
【００２５】
また、図１、図２等に示すように、外側正面部材２を構成している枠部材２１の下面には複数個の案内部材（本例では車輪付きキャスター）２６を付設してある。キャスター２６は伸縮式小屋の下方に形成された、或いは既にあったコンクリート或いはレンガ等からなる家屋外部の床８の平坦な水平頂面８１に載置されている。該水平頂面８１のうちキャスター２６が転動する部分はキャスター２６のためのレールとして、さらに言えば、後述するように、外側正面部材２を内側枠部材１に対し接近離反移動させる際にキャスター２６が転動するためレールとして利用される。
【００２６】
図２、図３等に示すように、天井部材３は内側枠部材１に近い側の板状部材３１と外側正面部材２に近い側の板状部材３２とからなっている。板状部材３１には透明ガラス板３１０が、板状部材３２には透明ガラス板３２０をはめ込んである。板状部材３１、３２はいずれも内側枠部材１及び外側正面部材２の各左右幅より若干小さい左右幅を有しており、全体として左右に長い矩形を呈している。
【００２７】
板状部材３１の外側端部３１１と板状部材３２の内側端部３２２とは互いに複数個のヒンジ３３で連結され、これにより、図６、図７に示すように、部材３１、３２は下方へ谷状に二つ折れ可能となっている。また、板状部材３１の内側端部３１２（天井部材３の内側端部）は内側枠部材１の上端部に複数個のヒンジ３４で連結されており、板状部材３２の外側端部３２１（天井部材３の外側端部）は外側正面部材２の枠部材２１の上端部に複数個のヒンジ３５で連結されている。なお、用いるヒンジはヒンジの作用をするものであればよく、図示のヒンジ３３、３４、３５に限定されない。
【００２８】
以上により、外側正面部材２を内側枠部材１から離反移動させると両板状部材３１、３２が一枚の板状に伸張でき、伸張した天井部材３を得ることができる。外側正面部材２を内側枠部材１へ接近移動させると両板状部材３１、３２が谷状に折り畳まれて外側正面部材２と内側枠部材１との間に収納される。
【００２９】
図２、図３等に示すように、一対の床用部材４は内側枠部材１の左右下端部と外側正面部材２の左右下端部との間に配置されている。各床用部材４は、内側枠部材１に近い側のロッド状部材４１と外側正面部材２に近い側のロッド状部材４２とからなっている。
【００３０】
ロッド状部材４１の外側端部４１１とロッド状部材４２の内側端部４２２とは互いにヒンジ４３で連結され、これにより、図６、図７に示すように、部材４１、４２は上方へ山状に二つ折れ可能となっている。また、ロッド状部材４１の内側端部４１２（床用部材４の内側端部）は内側枠部材１の下端部にヒンジ４４で連結されており、ロッド状部材４２の外側端部４２１（床用部材４の外側端部）は外側正面部材２の枠部材２１の下端部にヒンジ４５で連結されている。
なお、用いるヒンジはヒンジの作用をするものであればよく、図示のヒンジ４３、４４、４５に限定されない。
【００３１】
以上により、外側正面部材２を内側枠部材１から離反移動させると両ロッド状部材４１、４２が一本のロッド状に伸張でき、伸張した床用部材４を得ることができる。外側正面部材２を内側枠部材１へ接近移動させると両ロッド状部材４１、４２が山状に折り畳まれて外側正面部材２と内側枠部材１との間に収納される。
【００３２】
図５に示すように、ロッド状部材４１、４２の断面形状は同じであり、それは図５にロッド状部材４２の断面にて示すように、小屋内部に臨む側面に沿う段差部４０を有しており、該段差部４０に後述する床板６の側縁部を載置することができる。
なお、ロッド状の床用部材は３本以上採用してもよい。その場合、両端の間に配置されるものについては段差部は無しでよい。また、床用部材としては、ロッド状のものだけではなく、折り畳み可能な枠状のもの等も採用できる。
【００３３】
図２、図３等に示すように、一対の側部材５は、内側枠部材１の左右側部と外側正面部材２の左右側部との間に配置されている。各側部材５は内側枠部材１に近い側の板状部材５１と外側正面部材２に近い側の板状部材５２とからなっている。板状部材５１には透明ガラス板５１０が、板状部材５２には透明ガラス板５２０をはめ込んである。
【００３４】
板状部材５１、５２はいずれも伸張状態におかれたときの天井部材３と床用部材４の上下方向間隔より僅かに短い高さを有しており、全体として上下（縦）に長い矩形を呈している。板状部材５２の横幅（前後幅）は天井部材３を構成している板状部材３２の短手方向幅と略同幅であるが、板状部材５１の横幅は天井部材３を構成している板状部材３１の短手方向幅より長く、板状部材５１の内側端部５１２は内側枠部材１の内側まで入り込んで複数個のヒンジ５４で部材１に連結されている。
【００３５】
板状部材５１の外側端部５１１と板状部材５２の内側端部５２２とは互いに複数個のヒンジ５３で連結されている。
かかる連結状態により、図６、図７に示すように、両部材５１、５２は小屋内側へ向かって二つ折れしつつ内側枠部材１内に収納可能となっている。
なお、用いるヒンジはヒンジの作用をするものであればよく、図示のヒンジ５３、５４に限定されない。
【００３６】
以上により、外側正面部材２を内側枠部材１から離反移動させることで天井部材３及び床用部材４を伸張状態としたあと、両板状部材５１、５２を一枚の板状に、伸張した天井部材３より下方且つ及び伸張した床用部材４より上方の空間へ、且つ、外側正面部材２まで伸張させることができる。外側正面部材２を内側枠部材１へ接近移動させるときには、天井部材３及び床用部材４の折り畳みの邪魔にならないように、内側枠部材１内へ折り畳み収納できる。
【００３７】
以上説明した伸縮式小屋は、例えば、先ず、家屋開口部９２を形成している開口部周囲の家屋壁体９３に沿って内側枠部材１を家屋開口部９２を囲むように配置し、内側枠部材１のフランジ部１２を図示を省略したボルト等の適当な固定手段を用いて該家屋壁体９３に強固に固定し、このようにして家屋壁体９３に固定した内側枠部材１に適当な順序で、天井部材３、床用部材４、側部材５及び外側正面部材２を連結することで簡単に組み立て設置することができる。外側正面部材２のキャスター２６は伸縮式小屋の下方に予め形成された、或いは既にあったたコンクリート或いはレンガ等からなる家屋外部の床８の平坦な水平頂面８１に載置する。
【００３８】
なお、支障のない範囲で、内側枠部材１を家屋開口部の周囲構造物に沿って設置する前に予め他の適当な部材を該内側枠部材に連結しておくなど、部材同士の連結は支障のない範囲で適当な順序で行うことができる。
【００３９】
このようにして設置された伸縮式小屋は、外側正面部材２を内側枠部材１から離反するように外方へ移動させることで、天井部材３及び床用部材４を伸張させることができ、さらに、各側部材５を、伸張した天井部材３より下方且つ伸張した床用部材４より上方の空間へ、且つ、外側正面部材２の方へ該部材２まで伸張させることで目的とする小屋を得ることができる。
【００４０】
以上説明したように伸張状態とした伸縮式小屋は前記の家屋外部の床８を床として使用することもできるが、床板６を敷いて用いてもよい。床板６は、例えば図４に示すように、左右端の床板６については、内側枠部材１、外側正面部材の枠部材２１及び床用部材４の段差部４０に取り外し可能に載置し、左右端の間の床板６については内側枠部材１と外側正面部材の枠部材２１とに取り外し可能に渡し載置すればよい。
【００４１】
床板６は内側枠部材１から外側正面部材２への長さが左右幅より長いものであるが、左右幅の方が長い床板を用いてもよい。その場合には、例えば、最も内側枠部材側の床板は内側枠部材１及び床用部材４の段差部４０に取り外し可能に載置し、最も外側正面部材側の床板は枠部材２１及び床用部材４の段差部４０に取り外し可能に載置し、それらの間の床板については左右の床用部材４の段差部４０に取り外し可能に渡し載置すればよい。
【００４２】
伸張された小屋はその内側枠部材１の開口部１１と家屋開口部９２とにより家屋内の部屋９１と連通し、人や物の行き来が可能になり、それだけ使い勝手がよい。
【００４３】
用済みの場合においては、床板が使用されている場合はそれを取り外し、各側部材５を内側枠部材１内へ折り畳んで収納し、外側正面部材２を内側枠部材１の方へ接近移動させるとともに天井部材３及び床用部材４を畳んで全体をコンパクトに収縮させることができ、分解、撤去しなくてもさほど邪魔にならない状態にできる。再び使用しようとするときには、全体を前記のように伸張させることで簡単に所望の小屋に復元して使用できる。
【００４４】
伸縮式小屋Ａは、透明ガラス板を用いて採光可能に構成してあるので、サンルームとして使用したり、また、動物の飼育部屋、植物の育成部屋、各種作業所など、様々に用いることができる。
【００４５】
以上説明した伸縮式小屋Ａにおける天井部材３、床用部材４、側部材５はそれぞれ二つ折りに畳むことができるものであったが、天井部材３、床用部材４及び側部材５のうち少なくとも一つが三つ折れ以上に折り畳み可能なものであってもよい。また、アコーディオン式カーテンのように蛇腹状に伸縮できるものでもよい。
【００４６】
また、天井部材３、床用部材４、側部材５のそれぞれの畳み方式としては、折り畳み方式以外に、例えば、天井部材３、床用部材４、側部材５のうち少なくとも一つについては、複数の小部材で構成し、畳み収納するときはそれら複数の小部材を重ね収納状態とし、伸張するとき或いは伸張状態から収納状態とするときには、それら複数の小部材をスライド式に伸縮させる方式を採用してもよい。
【００４７】
前記の床用部材４は２本のロッド状部材４１、４２を二つ折り可能に連結したものであり、必要に応じその上に床板６を載置できるものであったが、例えばそれ自体床として使用できる複数枚の床板部材を例えば天井部材３のように折り畳み、伸張できるように連結したもの、或いはそれ自体床として使用できる複数枚の床板部材をスライド式に、重ね畳んだ状態と伸張状態との間で伸縮できるものを床用部材として採用してもよい。
【００４８】
【発明の効果】
以上説明したように本発明によると、屋外に通じる開口部を有する部屋を備えた建築物の該開口部に連設して簡単に設置でき、該建築物開口部に通じるので使い勝手がよく、用済みの場合においては、コンパクトに縮めておくことができ、再び用いるときには、簡単に小屋に復元して使用でき、様々の用途のある伸縮式小屋を提供することができる。
【図面の簡単な説明】
【図１】本発明に係る伸縮式小屋の１例の正面図である。
【図２】図１に示す小屋の伸張状態における右側面図である。
【図３】図１に示す小屋の伸張状態における平面図である。
【図４】図１に示す小屋の伸張状態における、天井部材を取り去って示す平面図である。
【図５】図４のＸ−Ｘ線に沿って床用部材を切断した状態と該床用部材周囲の幾つかの部材を示す図である。
【図６】図１に示す小屋の収縮収納状態における側面図である。
【図７】図１に示す小屋の収縮収納状態における平面図である。
【符号の説明】
Ａ  伸縮式小屋
１  内側枠部材
１１  矩形開口部
１２  フランジ部
２  外側正面部材
２１  枠部材
２１１  開口部
２２、２３１  透明ガラス板
２３  開閉可能扉
２４、２５  レール部材
２６  キャスター
３  天井部材
３１、３２  天井部材を構成する板状部材
３１０、３２０  透明ガラス板
３１１  板状部材３１の外側端部
３１２  板状部材３１の内側端部（天井部材の内側端部）
３２１  板状部材３２の外側端部（天井部材の外側端部）
３２２  板状部材３２の内側端部
３３、３４、３５  ヒンジ
４  床用部材
４１、４２  床用部材を構成するロッド状部材
４１１  ロッド状部材４１の外側端部
４１２  ロッド状部材４１の内側端部（床用部材の内側端部）
４２１  ロッド状部材４２の外側端部（床用部材の外側端部）
４２２  ロッド状部材４２の内側端部
４３、４４、４５  ヒンジ
４０  ロッド状部材の段差部
６  床板
５  側部材
５１、５２  側部材を構成する板状部材
５１０、５２０  透明ガラス板
５１１  板状部材５１の外側端部
５１２  板状部材５１の内側端部（側部材の内側端部）
５２２  板状部材５２の内側端部
５３、５４  ヒンジ
８  家屋外部の床
８１  床の水平頂面
９  家屋
９１  部屋
９２  矩形開口部
９２１  引き違い戸
９３  家屋壁体
【図１】
2004232316.tif 000003
【図２】
2004232316.tif 000004
【図３】
2004232316.tif 000005
【図４】
2004232316.tif 000006
【図５】
2004232316.tif 000007
【図６】
2004232316.tif 000008
【図７】
2004232316.tif 000009